(57)【要約】【課題】妨害波の周波数が時間の経過に伴って変動する場合でも、妨害波を除去することができるようにする。【解決手段】バンドパスフィルタ２を通過した信号の受信スペクトルの中で、特定電力Ｐ１より高い電力を有する妨害波の受信スペクトルを検知する周波数検知回路３を設け、周波数検知回路３により検知された受信スペクトルの中心周波数ｆｎｈを含む周波数帯域が遮断帯域Ｂに設定される可変型バンドリジェクションフィルタ４が、アンテナ１から出力された無線信号に含まれている中心周波数ｆｎｈの妨害波を遮断して、妨害波以外の信号（遮断帯域Ｂ以外の帯域Ｂ’の信号）を通過させるように構成する。【選択図】図１
2015220631.tif 000002
【特許請求の範囲】
【請求項１】
無線信号に含まれている送信信号の周波数と異なる周波数が通過帯域に設定されており、前記無線信号に含まれている信号のうち、前記通過帯域内の信号を通過させる帯域通過フィルタと、
前記帯域通過フィルタを通過した信号に含まれている妨害波の周波数を検知する周波数検知回路と、
前記周波数検知回路により検知された妨害波の周波数が遮断帯域に設定され、前記無線信号に含まれている妨害波を遮断する可変型遮断フィルタと
を備えた受信回路。
【請求項２】
前記帯域通過フィルタは、前記無線信号に含まれている送信信号の周波数より高い周波数が通過帯域に設定されており、前記無線信号に含まれている信号のうち、前記送信信号の周波数より高い周波数の信号を通過させることを特徴とする請求項１記載の受信回路。
【請求項３】
前記帯域通過フィルタは、前記無線信号に含まれている送信信号の周波数より低い周波数が通過帯域に設定されており、前記無線信号に含まれている信号のうち、前記送信信号の周波数より低い周波数の信号を通過させることを特徴とする請求項１記載の受信回路。
【請求項４】
前記送信信号の周波数が通過帯域に設定されており、前記可変型遮断フィルタを通過した信号に含まれている送信信号を通過させる第２の帯域通過フィルタを備えたことを特徴とする請求項１から請求項３のうちのいずれか１項記載の受信回路。
【請求項５】
無線信号に含まれている送信信号の周波数より高い周波数が通過帯域に設定されており、前記無線信号に含まれている信号のうち、前記送信信号の周波数より高い周波数の信号を通過させる第１の帯域通過フィルタと、
前記第１の帯域通過フィルタを通過した信号に含まれている第１の妨害波の周波数を検知する第１の周波数検知回路と、
前記第１の周波数検知回路により検知された第１の妨害波の周波数が遮断帯域に設定され、前記無線信号に含まれている第１の妨害波を遮断する第１の可変型遮断フィルタと、
前記無線信号に含まれている送信信号の周波数より低い周波数が通過帯域に設定されており、前記無線信号に含まれている信号のうち、前記送信信号の周波数より低い周波数の信号を通過させる第２の帯域通過フィルタと、
前記第２の帯域通過フィルタを通過した信号に含まれている第２の妨害波の周波数を検知する第２の周波数検知回路と、
前記第２の周波数検知回路により検知された第２の妨害波の周波数が遮断帯域に設定され、前記第１の可変型遮断フィルタを通過した信号に含まれている第２の妨害波を遮断する第２の可変型遮断フィルタと
を備えた受信回路。
【請求項６】
前記送信信号の周波数が通過帯域に設定されており、前記第２の可変型遮断フィルタを通過した信号に含まれている送信信号を通過させる第３の帯域通過フィルタを備えたことを特徴とする請求項５記載の受信回路。
【発明の詳細な説明】
【技術分野】
【０００１】
この発明は、妨害波が混入している無線信号から送信信号を抽出する受信回路に関するものである。
【背景技術】
【０００２】
以下の非特許文献１に開示されている受信回路は、無線信号から送信信号だけを抽出するために、その無線信号に混入している妨害波を除去する妨害波除去用のフィルタを備えている。
妨害波除去用のフィルタには、予め妨害波の周波数が遮断帯域として設定され、当該フィルタが、無線信号に含まれている妨害波以外の信号を通過させることで、送信信号を抽出するようにしている。
ただし、このフィルタの遮断帯域は固定的であるため、妨害波の周波数が時間の経過に伴って変動する場合には、妨害波を除去することができない。
【先行技術文献】
【非特許文献】
【０００３】
【非特許文献１】Aarno Parssinen，“DIRECT CONVERSION RECEIVERS IN WIDE-BAND SYSTEMS”，KLUWER ACADEMIC PUBLISHERS，Sep 2001
【発明の概要】
【発明が解決しようとする課題】
【０００４】
従来の受信回路は以上のように構成されているので、妨害波の周波数が時間の経過に伴って変動する場合、妨害波除去用のフィルタでは妨害波を除去することができない。妨害波が除去されていない無線信号が、フィルタの後段に設置されている低雑音増幅器に入力されると、低雑音増幅器の入力電力が大きくなるため、低雑音増幅器が飽和してしまうことがある課題があった。
【０００５】
この発明は上記のような課題を解決するためになされたもので、妨害波の周波数が時間の経過に伴って変動する場合でも、妨害波を除去することができる受信回路を得ることを目的とする。
【課題を解決するための手段】
【０００６】
この発明に係る受信回路は、無線信号に含まれている送信信号の周波数と異なる周波数が通過帯域に設定されており、その無線信号に含まれている信号のうち、その通過帯域内の信号を通過させる帯域通過フィルタと、帯域通過フィルタを通過した信号に含まれている妨害波の周波数を検知する周波数検知回路とを設け、周波数検知回路により検知された妨害波の周波数が遮断帯域に設定された可変型遮断フィルタが、その無線信号に含まれている妨害波を遮断するようにしたものである。
【発明の効果】
【０００７】
この発明によれば、無線信号に含まれている送信信号の周波数と異なる周波数が通過帯域に設定されており、その無線信号に含まれている信号のうち、その通過帯域内の信号を通過させる帯域通過フィルタと、帯域通過フィルタを通過した信号に含まれている妨害波の周波数を検知する周波数検知回路とを設け、周波数検知回路により検知された妨害波の周波数が遮断帯域に設定された可変型遮断フィルタが、その無線信号に含まれている妨害波を遮断するように構成したので、妨害波の周波数が時間の経過に伴って変動する場合でも、妨害波を除去することができる効果がある。
【図面の簡単な説明】
【０００８】
【図１】この発明の実施の形態１による受信回路を示す構成図である。
【図２】アンテナ１により受信される無線信号に含まれている送信信号及び妨害波の周波数を示す説明図である。
【図３】受信時刻ｔ０のときの無線信号のスペクトル及び図１の受信回路に搭載されている各フィルタの通過帯域を示す説明図である。
【図４】受信時刻ｔ１のときの無線信号のスペクトル及び図１の受信回路に搭載されている各フィルタの通過帯域を示す説明図である。
【図５】バンドパスフィルタ５を通過した信号のスペクトルを示す説明図である。
【図６】この発明の実施の形態２による受信回路を示す構成図である。
【図７】アンテナ１により受信される無線信号に含まれている送信信号及び妨害波ａ，ｂの周波数を示す説明図である。
【図８】受信時刻ｔ０のときの無線信号のスペクトル及び図６の受信回路に搭載されている各フィルタの通過帯域を示す説明図である。
【図９】受信時刻ｔ１のときの無線信号のスペクトル及び図６の受信回路に搭載されている各フィルタの通過帯域を示す説明図である。
【図１０】受信時刻ｔ２のときの無線信号のスペクトル及び図６の受信回路に搭載されている各フィルタの通過帯域を示す説明図である。
【発明を実施するための形態】
【０００９】
実施の形態１．
図１はこの発明の実施の形態１による受信回路を示す構成図であり、図２はアンテナ１により受信される無線信号に含まれている送信信号及び妨害波の周波数を示す説明図である。
また、図３は受信時刻ｔ０のときの無線信号のスペクトル及び図１の受信回路に搭載されている各フィルタの通過帯域を示す説明図であり、図４は受信時刻ｔ１のときの無線信号のスペクトル及び図１の受信回路に搭載されている各フィルタの通過帯域を示す説明図である。
【００１０】
図１において、アンテナ１は中心周波数がｆｃで、側波帯周波数がｆｃ１〜ｆｃ２である送信信号を含んでいる無線信号を受信する。ただし、この無線信号には、周波数が時間の経過に伴って、中心周波数がｆｎｈ０〜ｆｎｈ１の範囲で変動する妨害波が混入しているものとする。
図２の例では、時刻ｔ０における妨害波の中心周波数がｆｎｈ１、時刻ｔ１における妨害波の中心周波数がｆｎｈ０である。
【００１１】
バンドパスフィルタ２は送信信号の中心周波数ｆｃより高い周波数が通過帯域Ａ（ｆｂｐａ１〜ｆｂｐａ２）に設定されており、無線信号に含まれている信号のうち、送信信号の中心周波数ｆｃより高い周波数の信号（通過帯域Ａの信号）を通過させる帯域通過フィルタである。
周波数検知回路３はバンドパスフィルタ２を通過した信号の受信スペクトルの中で、予め設定された特定電力Ｐ１（送信信号の側波成分の電力より高い電力）より高い電力の受信スペクトル（妨害波の受信スペクトル）を検知し、その受信スペクトルの中心周波数ｆｎｈを示す制御電圧ｖ＿ｆｎｈを可変型バンドリジェクションフィルタ４に出力する。
【００１２】
可変型バンドリジェクションフィルタ４は周波数検知回路３から出力された制御電圧ｖ＿ｆｎｈが示す中心周波数ｆｎｈを含む周波数帯域が遮断帯域Ｂ（例えば、ｆｂｒａ１〜ｆｂｒａ２や、ｆｂｒａ３〜ｆｂｒａ４）に設定され、無線信号に含まれている妨害波を遮断して、その妨害波以外の信号（遮断帯域Ｂ以外の帯域Ｂ’の信号）を通過させる可変型遮断フィルタである。
バンドパスフィルタ５は送信信号の中心周波数ｆｃ及び側波帯周波数ｆｃ１〜ｆｃ２を含む周波数帯域が通過帯域Ｃ（ｆｂｐｍ１〜ｆｂｐｍ２）に設定されており、可変型バンドリジェクションフィルタ４を通過した信号に含まれている送信信号を通過させる第２の帯域通過フィルタである。
低雑音増幅器６はバンドパスフィルタ５を通過した送信信号の電力を増幅する。
【００１３】
次に動作について説明する。
送信信号の中心周波数ｆｃは時間が経過しても一定であるが、妨害波の中心周波数ｆｎｈは時間の経過に伴って変動する。
以下、アンテナ１における無線信号の受信時刻がｔ０であるときの動作と、無線信号の受信時刻がｔ１であるときの動作とを説明する。
【００１４】
最初に、アンテナ１における無線信号の受信時刻がｔ０であるときの動作を説明する。
受信時刻ｔ０では、中心周波数ｆｃの送信信号と、中心周波数ｆｎｈ１の妨害波とを含む無線信号がアンテナ１で受信される。
バンドパスフィルタ２は、送信信号の中心周波数ｆｃより高い周波数が通過帯域Ａ（ｆｂｐａ１〜ｆｂｐａ２）に設定されているので、アンテナ１から送信信号と妨害波を含む無線信号が出力されると、無線信号に含まれている信号のうち、送信信号の中心周波数ｆｃより高い周波数の信号（通過帯域Ａの信号）だけを通過させる。
【００１５】
したがって、送信信号の中心周波数ｆｃと、その中心周波数ｆｃより低い側の送信信号の側波帯周波数ｆｃ１については、バンドパスフィルタ２の通過帯域Ａ（ｆｂｐａ１〜ｆｂｐａ２）より低いので、送信信号の中心周波数ｆｃの成分と、中心周波数ｆｃより低い側の送信信号の側波成分は、バンドパスフィルタ２により遮断される。
一方、中心周波数ｆｃより高い側の送信信号の側波帯周波数ｆｃ２と、妨害波の中心周波数ｆｎｈ１については、バンドパスフィルタ２の通過帯域Ａ（ｆｂｐａ１〜ｆｂｐａ２）に含まれているので（ｆｂｐａ１＜ｆｃ２＜ｆｎｈ１＜ｆｂｐａ２）、中心周波数ｆｃより高い側の送信信号の側波成分と妨害波は、バンドパスフィルタ２を通過する。
【００１６】
周波数検知回路３は、バンドパスフィルタ２を通過した信号（中心周波数ｆｃより高い側の送信信号の側波成分、妨害波）が入力されると、バンドパスフィルタ２を通過した信号の受信スペクトルの中で、予め設定された特定電力Ｐ１より高い電力の受信スペクトルを検知する。
図３の例では、特定電力Ｐ１より高い電力の受信スペクトルは、妨害波の受信スペクトルだけであるため、妨害波の受信スペクトルが検知される。
周波数検知回路３は、妨害波の受信スペクトルを検知すると、その受信スペクトルの中心周波数ｆｎｈ１を示す制御電圧ｖ＿ｆｎｈ１を可変型バンドリジェクションフィルタ４に出力する。
【００１７】
可変型バンドリジェクションフィルタ４は、周波数検知回路３から制御電圧ｖ＿ｆｎｈ１を受けると、その制御電圧ｖ＿ｆｎｈ１が示す中心周波数ｆｎｈ１を含む周波数帯域が遮断帯域Ｂ（ｆｂｒａ１〜ｆｂｒａ２）に設定される。
可変型バンドリジェクションフィルタ４は、アンテナ１から送信信号と妨害波を含む無線信号が出力されると、無線信号に含まれている中心周波数ｆｎｈ１の妨害波を遮断して、妨害波以外の信号（遮断帯域Ｂ以外の帯域Ｂ’の信号）を通過させる。
したがって、中心周波数ｆｎｈ１の妨害波は、可変型バンドリジェクションフィルタ４により遮断されるが、送信信号は、可変型バンドリジェクションフィルタ４を通過する。
【００１８】
バンドパスフィルタ５は、送信信号の中心周波数ｆｃ及び側波帯周波数ｆｃ１〜ｆｃ２を含む周波数帯域が通過帯域Ｃ（ｆｂｐｍ１〜ｆｂｐｍ２）に設定されているので、可変型バンドリジェクションフィルタ４を通過した信号が入力されると、可変型バンドリジェクションフィルタ４を通過した信号に含まれている送信信号を通過させる。
即ち、送信信号の中心周波数ｆｃ及び側波帯周波数ｆｃ１〜ｆｃ２は、バンドパスフィルタ５の通過帯域Ｃ（ｆｂｐｍ１〜ｆｂｐｍ２）に含まれているので（ｆｂｐｍ１＜ｆｃ１＜ｆｃ＜ｆｃ２＜ｆｂｐｍ２）、送信信号の中心周波数ｆｃの成分と側波帯周波数ｆｃ１〜ｆｃ２の成分は、バンドパスフィルタ５を通過する。
【００１９】
低雑音増幅器６は、バンドパスフィルタ５を通過した信号の電力を増幅する。低雑音増幅器６が増幅する信号の電力は、バンドパスフィルタ５の通過帯域Ｃ内の積分値であるが、妨害波が含まれておらず、送信信号の成分だけであるため、低雑音増幅器６が飽和することはない。
【００２０】
次に、アンテナ１における無線信号の受信時刻がｔ１であるときの動作を説明する。
受信時刻ｔ１では、中心周波数ｆｃの送信信号と、中心周波数ｆｎｈ０の妨害波とを含む無線信号がアンテナ１で受信される。
バンドパスフィルタ２は、送信信号の中心周波数ｆｃより高い周波数が通過帯域Ａ（ｆｂｐａ１〜ｆｂｐａ２）に設定されているので、アンテナ１から送信信号と妨害波を含む無線信号が出力されると、無線信号に含まれている信号のうち、送信信号の中心周波数ｆｃより高い周波数の信号（通過帯域Ａの信号）だけを通過させる。
【００２１】
したがって、送信信号の中心周波数ｆｃと、その中心周波数ｆｃより低い側の送信信号の側波帯周波数ｆｃ１については、バンドパスフィルタ２の通過帯域Ａ（ｆｂｐａ１〜ｆｂｐａ２）より低いので、送信信号の中心周波数ｆｃの成分と、中心周波数ｆｃより低い側の送信信号の側波成分は、バンドパスフィルタ２により遮断される。
一方、中心周波数ｆｃより高い側の送信信号の側波帯周波数ｆｃ２と、妨害波の中心周波数ｆｎｈ０については、バンドパスフィルタ２の通過帯域Ａ（ｆｂｐａ１〜ｆｂｐａ２）に含まれているので（ｆｂｐａ１＜ｆｎｈ０＜ｆｃ２＜ｆｂｐａ２）、中心周波数ｆｃより高い側の送信信号の側波成分と妨害波は、バンドパスフィルタ２を通過する。
【００２２】
周波数検知回路３は、バンドパスフィルタ２を通過した信号（中心周波数ｆｃより高い側の送信信号の側波成分、妨害波）が入力されると、バンドパスフィルタ２を通過した信号の受信スペクトルの中で、予め設定された特定電力Ｐ１より高い電力の受信スペクトルを検知する。
図４の例では、特定電力Ｐ１より高い電力の受信スペクトルは、妨害波の受信スペクトルだけであるため、妨害波の受信スペクトルが検知される。
周波数検知回路３は、妨害波の受信スペクトルを検知すると、その受信スペクトルの中心周波数ｆｎｈ０を示す制御電圧ｖ＿ｆｎｈ０を可変型バンドリジェクションフィルタ４に出力する。
【００２３】
可変型バンドリジェクションフィルタ４は、周波数検知回路３から制御電圧ｖ＿ｆｎｈ０を受けると、その制御電圧ｖ＿ｆｎｈ０が示す中心周波数ｆｎｈ０を含む周波数帯域が遮断帯域Ｂ（ｆｂｒａ３〜ｆｂｒａ４）に設定される。
可変型バンドリジェクションフィルタ４は、アンテナ１から送信信号と妨害波を含む無線信号が出力されると、無線信号に含まれている中心周波数ｆｎｈ０の妨害波を遮断して、妨害波以外の信号（遮断帯域Ｂ以外の帯域Ｂ’の信号）を通過させる。
したがって、中心周波数ｆｎｈ０の妨害波は、可変型バンドリジェクションフィルタ４により遮断されるが、送信信号は、可変型バンドリジェクションフィルタ４を通過する。
なお、中心周波数ｆｎｈ０の妨害波は、中心周波数ｆｃより高い側の送信信号の側波成分と一部重なっているため、その妨害波と重なっている部分の送信信号の側波成分についても遮断される。
【００２４】
バンドパスフィルタ５は、送信信号の中心周波数ｆｃ及び側波帯周波数ｆｃ１〜ｆｃ２を含む周波数帯域が通過帯域Ｃ（ｆｂｐｍ１〜ｆｂｐｍ２）に設定されているので、可変型バンドリジェクションフィルタ４を通過した信号が入力されると、可変型バンドリジェクションフィルタ４を通過した信号に含まれている送信信号を通過させる。
即ち、送信信号の中心周波数ｆｃ及び側波帯周波数ｆｃ１〜ｆｃ２は、バンドパスフィルタ５の通過帯域Ｃ（ｆｂｐｍ１〜ｆｂｐｍ２）に含まれているので（ｆｂｐｍ１＜ｆｃ１＜ｆｃ＜ｆｃ２＜ｆｂｐｍ２）、送信信号の中心周波数ｆｃの成分と側波帯周波数ｆｃ１〜ｆｃ２の成分は、バンドパスフィルタ５を通過する。
【００２５】
図５はバンドパスフィルタ５を通過した信号のスペクトルを示す説明図である。
中心周波数ｆｎｈ０の妨害波は、中心周波数ｆｃより高い側の送信信号の側波成分と一部重なっており、その妨害波と重なっている部分の送信信号の側波成分が可変型バンドリジェクションフィルタ４で遮断されているため、バンドパスフィルタ５を通過した信号のスペクトルは図５のようになっている。
【００２６】
低雑音増幅器６は、バンドパスフィルタ５を通過した信号の電力を増幅する。低雑音増幅器６が増幅する信号の電力は、バンドパスフィルタ５の通過帯域Ｃ内の積分値であるが、妨害波が含まれておらず、送信信号の成分だけであるため、低雑音増幅器６が飽和することはない。
【００２７】
以上で明らかなように、この実施の形態１によれば、バンドパスフィルタ２を通過した信号の受信スペクトルの中で、予め設定された特定電力Ｐ１より高い電力の受信スペクトル（妨害波の受信スペクトル）を検知し、その受信スペクトルの中心周波数ｆｎｈを示す制御電圧ｖ＿ｆｎｈを可変型バンドリジェクションフィルタ４に出力する周波数検知回路３を設け、周波数検知回路３から出力された制御電圧ｖ＿ｆｎｈが示す中心周波数ｆｎｈを含む周波数帯域が遮断帯域Ｂに設定される可変型バンドリジェクションフィルタ４が、アンテナ１から出力された無線信号に含まれている中心周波数ｆｎｈの妨害波を遮断して、妨害波以外の信号（遮断帯域Ｂ以外の帯域Ｂ’の信号）を通過させるように構成したので、妨害波の中心周波数ｆｎｈが時間の経過に伴って変動する場合でも、妨害波を除去することができるようになり、その結果、電力による低雑音増幅器６の飽和を回避することができる効果を奏する。
【００２８】
この実施の形態１では、中心周波数ｆｎｈが送信信号の中心周波数ｆｃより高い妨害波を除去する受信回路を示したが、中心周波数ｆｎｈが送信信号の中心周波数ｆｃより低い妨害波を除去するようにしてもよい。
この場合、送信信号の中心周波数ｆｃより低い周波数をバンドパスフィルタ２の通過帯域Ａ（ｆｂｐａ１〜ｆｂｐａ２）に設定して、無線信号に含まれている信号のうち、送信信号の中心周波数ｆｃより低い周波数の信号がバンドパスフィルタ２を通過するようにすればよい。
【００２９】
この実施の形態１では、中心周波数ｆｎｈが時間の経過に伴って変動する妨害波を除去する受信回路について示したが、中心周波数ｆｎｈが時間の経過に伴って変動しない妨害波についても同様に除去することができる。
【００３０】
実施の形態２．
上記実施の形態１では、無線信号に混入している１つの妨害波を除去する受信回路を示したが、この実施の形態２では、無線信号に混入している２つの妨害波ａ，ｂを除去する受信回路について説明する。
【００３１】
図６はこの発明の実施の形態２による受信回路を示す構成図であり、図において、図１と同一符号は同一または相当部分を示すので説明を省略する。
ただし、この実施の形態２では、バンドパスフィルタ２は第１の帯域通過フィルタとして用いられ、周波数検知回路３は第１の周波数検知回路として用いられ、可変型バンドリジェクションフィルタ４は第１の可変型遮断フィルタとして用いられ、バンドパスフィルタ５は第３の帯域通過フィルタとして用いられるものとする。
また、周波数検知回路３は妨害波ａの受信スペクトルを検知して、その受信スペクトルの中心周波数ｆｎｈを示す制御電圧ｖ＿ｆｎｈを可変型バンドリジェクションフィルタ４に出力し、可変型バンドリジェクションフィルタ４は無線信号に含まれている妨害波ａを遮断するものとする。
【００３２】
図７はアンテナ１により受信される無線信号に含まれている送信信号及び妨害波ａ，ｂの周波数を示す説明図である。
また、図８は受信時刻ｔ０のときの無線信号のスペクトル及び図６の受信回路に搭載されている各フィルタの通過帯域を示す説明図であり、図９は受信時刻ｔ１のときの無線信号のスペクトル及び図６の受信回路に搭載されている各フィルタの通過帯域を示す説明図であり、図１０は受信時刻ｔ２のときの無線信号のスペクトル及び図６の受信回路に搭載されている各フィルタの通過帯域を示す説明図である。
【００３３】
図６において、バンドパスフィルタ１１は送信信号の中心周波数ｆｃより低い周波数が通過帯域Ｄ（ｆｂｐｂ１〜ｆｂｐｂ２）に設定されており、無線信号に含まれている信号のうち、送信信号の中心周波数ｆｃより低い周波数の信号（通過帯域Ｄの信号）を通過させる第２の帯域通過フィルタである。
周波数検知回路１２はバンドパスフィルタ１１を通過した信号の受信スペクトルの中で、予め設定された特定電力Ｐ１（送信信号の側波成分の電力より高い電力）より高い電力の受信スペクトル（妨害波ｂの受信スペクトル）を検知し、その受信スペクトルの中心周波数ｆｎｌを示す制御電圧ｖ＿ｆｎｌを可変型バンドリジェクションフィルタ１３に出力する第２の周波数検知回路である。
【００３４】
可変型バンドリジェクションフィルタ１３は周波数検知回路１２から出力された制御電圧ｖ＿ｆｎｌが示す中心周波数ｆｎｌを含む周波数帯域が遮断帯域Ｅ（例えば、ｆｂｒｂ１〜ｆｂｒｂ２や、ｆｂｒｂ３〜ｆｂｒｂ４）に設定され、無線信号に含まれている妨害波以外の信号（遮断帯域Ｅ以外の帯域Ｅ’の信号）を通過させる第２の可変型遮断フィルタである。
【００３５】
次に動作について説明する。
送信信号の中心周波数ｆｃは時間が経過しても一定であるが、妨害波ａ，ｂの中心周波数ｆｎｈ，ｆｎｌは時間の経過に伴って変動する。
以下、アンテナ１における無線信号の受信時刻がｔ０であるときの動作と、無線信号の受信時刻がｔ１であるときの動作と、無線信号の受信時刻がｔ２であるときの動作とを説明する。
【００３６】
最初に、アンテナ１における無線信号の受信時刻がｔ０であるときの動作を説明する。
受信時刻ｔ０では、中心周波数ｆｃの送信信号と、中心周波数ｆｎｈ１の妨害波ａとを含む無線信号がアンテナ１で受信される。
図７の例では、受信時刻ｔ０において、妨害波ｂが無線信号に混入されていない。
バンドパスフィルタ２は、送信信号の中心周波数ｆｃより高い周波数が通過帯域Ａ（ｆｂｐａ１〜ｆｂｐａ２）に設定されているので、アンテナ１から送信信号と妨害波ａを含む無線信号が出力されると、無線信号に含まれている信号のうち、送信信号の中心周波数ｆｃより高い周波数の信号（通過帯域Ａの信号）だけを通過させる。
【００３７】
したがって、送信信号の中心周波数ｆｃと、その中心周波数ｆｃより低い側の送信信号の側波帯周波数ｆｃ１については、バンドパスフィルタ２の通過帯域Ａ（ｆｂｐａ１〜ｆｂｐａ２）より低いので、送信信号の中心周波数ｆｃの成分と、中心周波数ｆｃより低い側の送信信号の側波成分は、バンドパスフィルタ２により遮断される。
一方、中心周波数ｆｃより高い側の送信信号の側波帯周波数ｆｃ２と、妨害波ａの中心周波数ｆｎｈ１については、バンドパスフィルタ２の通過帯域Ａ（ｆｂｐａ１〜ｆｂｐａ２）に含まれているので（ｆｂｐａ１＜ｆｃ２＜ｆｎｈ１＜ｆｂｐａ２）、中心周波数ｆｃより高い側の送信信号送信信号の側波成分と妨害波ａは、バンドパスフィルタ２を通過する。
【００３８】
周波数検知回路３は、バンドパスフィルタ２を通過した信号（中心周波数ｆｃより高い側の送信信号の側波成分、妨害波ａ）が入力されると、バンドパスフィルタ２を通過した信号の受信スペクトルの中で、予め設定された特定電力Ｐ１より高い電力の受信スペクトルを検知する。
図８の例では、特定電力Ｐ１より高い電力の受信スペクトルは、妨害波ａの受信スペクトルだけであるため、妨害波ａの受信スペクトルが検知される。
周波数検知回路３は、妨害波ａの受信スペクトルを検知すると、その受信スペクトルの中心周波数ｆｎｈ１を示す制御電圧ｖ＿ｆｎｈ１を可変型バンドリジェクションフィルタ４に出力する。
【００３９】
可変型バンドリジェクションフィルタ４は、周波数検知回路３から制御電圧ｖ＿ｆｎｈ１を受けると、その制御電圧ｖ＿ｆｎｈ１が示す中心周波数ｆｎｈ１を含む周波数帯域が遮断帯域Ｂ（ｆｂｒａ１〜ｆｂｒａ２）に設定される。
可変型バンドリジェクションフィルタ４は、アンテナ１から送信信号と妨害波ａを含む無線信号が出力されると、無線信号に含まれている中心周波数ｆｎｈ１の妨害波ａを遮断して、妨害波ａ以外の信号（遮断帯域Ｂ以外の帯域Ｂ’の信号）を通過させる。
したがって、中心周波数ｆｎｈ１の妨害波ａは、可変型バンドリジェクションフィルタ４により遮断されるが、送信信号は、可変型バンドリジェクションフィルタ４を通過する。
【００４０】
バンドパスフィルタ１１は、送信信号の中心周波数ｆｃより低い周波数が通過帯域Ｄ（ｆｂｐｂ１〜ｆｂｐｂ２）に設定されているので、アンテナ１から送信信号と妨害波ａを含む無線信号が出力されると、無線信号に含まれている信号のうち、送信信号の中心周波数ｆｃより低い周波数の信号（通過帯域Ｄの信号）だけを通過させる。
したがって、送信信号の中心周波数ｆｃと、その中心周波数ｆｃより高い側の送信信号の側波帯周波数ｆｃ２については、バンドパスフィルタ１１の通過帯域Ｄ（ｆｂｐｂ１〜ｆｂｐｂ２）より高いので、送信信号の中心周波数ｆｃの成分と、中心周波数ｆｃより高い側の送信信号の側波成分は、バンドパスフィルタ１１により遮断される。
一方、中心周波数ｆｃより低い側の送信信号の側波帯周波数ｆｃ１については、バンドパスフィルタ１１の通過帯域Ｄ（ｆｂｐｂ１〜ｆｂｐｂ２）に含まれているので（ｆｂｐｂ１＜ｆｃ１＜ｆｂｐｂ２）、中心周波数ｆｃより低い側の送信信号の側波成分は、バンドパスフィルタ１１を通過する。
【００４１】
周波数検知回路１２は、バンドパスフィルタ１１を通過した信号（中心周波数ｆｃより低い側の送信信号の側波成分）が入力されると、バンドパスフィルタ１１を通過した信号の受信スペクトルの中で、予め設定された特定電力Ｐ１より高い電力の受信スペクトルを検知する。
図８の例では、特定電力Ｐ１より高い電力の受信スペクトルが存在していないので（妨害波ｂが存在していない）、制御電圧ｖ＿ｆｎｌを可変型バンドリジェクションフィルタ１３に出力しない。
【００４２】
可変型バンドリジェクションフィルタ１３は、周波数検知回路１２から制御電圧ｖ＿ｆｎｌを受けていないので、遮断帯域Ｅ（ｆｂｒｂ〜ｆｂｒｂ）が設定されさない。
したがって、可変型バンドリジェクションフィルタ４を通過した信号は、可変型バンドリジェクションフィルタ１３を通過する。
【００４３】
バンドパスフィルタ５は、送信信号の中心周波数ｆｃ及び側波帯周波数ｆｃ１〜ｆｃ２を含む周波数帯域が通過帯域Ｃ（ｆｂｐｍ１〜ｆｂｐｍ２）に設定されているので、可変型バンドリジェクションフィルタ１３を通過した信号が入力されると、可変型バンドリジェクションフィルタ１３を通過した信号に含まれている送信信号を通過させる。
即ち、送信信号の中心周波数ｆｃ及び側波帯周波数ｆｃ１〜ｆｃ２は、バンドパスフィルタ５の通過帯域Ｃ（ｆｂｐｍ１〜ｆｂｐｍ２）に含まれているので（ｆｂｐｍ１＜ｆｃ１＜ｆｃ＜ｆｃ２＜ｆｂｐｍ２）、送信信号の中心周波数ｆｃの成分と側波帯周波数ｆｃ１〜ｆｃ２の成分は、バンドパスフィルタ５を通過する。
【００４４】
低雑音増幅器６は、バンドパスフィルタ５を通過した信号の電力を増幅する。低雑音増幅器６が増幅する信号の電力は、バンドパスフィルタ５の通過帯域Ｃ内の積分値であるが、妨害波が含まれておらず、送信信号の成分だけであるため、低雑音増幅器６が飽和することはない。
【００４５】
次に、アンテナ１における無線信号の受信時刻がｔ１であるときの動作を説明する。
受信時刻ｔ１では、中心周波数ｆｃの送信信号と、中心周波数ｆｎｈ０の妨害波ａと、中心周波数ｆｎｌ０の妨害波ｂとを含む無線信号がアンテナ１で受信される。
バンドパスフィルタ２は、送信信号の中心周波数ｆｃより高い周波数が通過帯域Ａ（ｆｂｐａ１〜ｆｂｐａ２）に設定されているので、アンテナ１から送信信号と妨害波ａ，ｂを含む無線信号が出力されると、無線信号に含まれている信号のうち、送信信号の中心周波数ｆｃより高い周波数の信号（通過帯域Ａの信号）だけを通過させる。
【００４６】
したがって、送信信号の中心周波数ｆｃと、その中心周波数ｆｃより低い側の送信信号の側波帯周波数ｆｃ１と、妨害波ｂの中心周波数ｆｎｌ０については、バンドパスフィルタ２の通過帯域Ａ（ｆｂｐａ１〜ｆｂｐａ２）より低いので、送信信号の中心周波数ｆｃの成分、中心周波数ｆｃより低い側の送信信号の側波成分及び妨害波ｂは、バンドパスフィルタ２により遮断される。
一方、中心周波数ｆｃより高い側の送信信号の側波帯周波数ｆｃ２と、妨害波ａの中心周波数ｆｎｈ０については、バンドパスフィルタ２の通過帯域Ａ（ｆｂｐａ１〜ｆｂｐａ２）に含まれているので（ｆｂｐａ１＜ｆｎｈ０＜ｆｃ２＜ｆｂｐａ２）、中心周波数ｆｃより高い側の送信信号の側波成分と妨害波ａは、バンドパスフィルタ２を通過する。
【００４７】
周波数検知回路３は、バンドパスフィルタ２を通過した信号（中心周波数ｆｃより高い側の送信信号の側波成分、妨害波ａ）が入力されると、バンドパスフィルタ２を通過した信号の受信スペクトルの中で、予め設定された特定電力Ｐ１より高い電力の受信スペクトルを検知する。
図９の例では、特定電力Ｐ１より高い電力の受信スペクトルは、妨害波ａの受信スペクトルだけであるため、妨害波ａの受信スペクトルが検知される。
周波数検知回路３は、妨害波ａの受信スペクトルを検知すると、その受信スペクトルの中心周波数ｆｎｈ０を示す制御電圧ｖ＿ｆｎｈ０を可変型バンドリジェクションフィルタ４に出力する。
【００４８】
可変型バンドリジェクションフィルタ４は、周波数検知回路３から制御電圧ｖ＿ｆｎｈ０を受けると、その制御電圧ｖ＿ｆｎｈ０が示す中心周波数ｆｎｈ０を含む周波数帯域が遮断帯域Ｂ（ｆｂｒａ３〜ｆｂｒａ４）に設定される。
可変型バンドリジェクションフィルタ４は、アンテナ１から送信信号と妨害波ａ，ｂを含む無線信号が出力されると、無線信号に含まれている中心周波数ｆｎｈ０の妨害波ａを遮断して、妨害波ａ以外の信号（遮断帯域Ｂ以外の帯域Ｂ’の信号）を通過させる。
したがって、中心周波数ｆｎｈ０の妨害波ａは、可変型バンドリジェクションフィルタ４により遮断されるが、送信信号と妨害波ｂは、可変型バンドリジェクションフィルタ４を通過する。
【００４９】
バンドパスフィルタ１１は、送信信号の中心周波数ｆｃより低い周波数が通過帯域Ｄ（ｆｂｐｂ１〜ｆｂｐｂ２）に設定されているので、アンテナ１から送信信号と妨害波ａ，ｂを含む無線信号が出力されると、無線信号に含まれている信号のうち、送信信号の中心周波数ｆｃより低い周波数の信号（通過帯域Ｄの信号）だけを通過させる。
したがって、送信信号の中心周波数ｆｃと、その中心周波数ｆｃより高い側の送信信号の側波帯周波数ｆｃ２と、妨害波ａの中心周波数ｆｎｈ０については、バンドパスフィルタ１１の通過帯域Ｄ（ｆｂｐｂ１〜ｆｂｐｂ２）より高いので、送信信号の中心周波数ｆｃの成分、中心周波数ｆｃより高い側の送信信号の側波成分及び妨害波ａは、バンドパスフィルタ１１により遮断される。
一方、中心周波数ｆｃより低い側の送信信号の側波帯周波数ｆｃ１と、妨害波ｂの中心周波数ｆｎｌ０については、バンドパスフィルタ１１の通過帯域Ｄ（ｆｂｐｂ１〜ｆｂｐｂ２）に含まれているので（ｆｂｐｂ１＜ｆｎｌ０＜ｆｃ１＜ｆｂｐｂ２）、中心周波数ｆｃより低い側の送信信号の側波成分と妨害波ｂは、バンドパスフィルタ１１を通過する。
【００５０】
周波数検知回路１２は、バンドパスフィルタ１１を通過した信号（中心周波数ｆｃより低い側の送信信号の側波成分、妨害波ｂ）が入力されると、バンドパスフィルタ１１を通過した信号の受信スペクトルの中で、予め設定された特定電力Ｐ１より高い電力の受信スペクトルを検知する。
図９の例では、特定電力Ｐ１より高い電力の受信スペクトルは、妨害波ｂの受信スペクトルだけであるため、妨害波ｂの受信スペクトルが検知される。
周波数検知回路１２は、妨害波ｂの受信スペクトルを検知すると、その受信スペクトルの中心周波数ｆｎｌ０を示す制御電圧ｖ＿ｆｎｌ０を可変型バンドリジェクションフィルタ１３に出力する。
【００５１】
可変型バンドリジェクションフィルタ１３は、周波数検知回路１２から制御電圧ｖ＿ｆｎｌ０を受けると、その制御電圧ｖ＿ｆｎｌ０が示す中心周波数ｆｎｌ０を含む周波数帯域が遮断帯域Ｅ（ｆｂｒｂ１〜ｆｂｒｂ２）に設定される。
可変型バンドリジェクションフィルタ１３は、可変型バンドリジェクションフィルタ４を通過した信号（送信信号、妨害波ｂ）のうち、中心周波数ｆｎｌ０の妨害波ｂを遮断して、妨害波ｂ以外の信号（遮断帯域Ｅ以外の帯域Ｅ’の信号）を通過させる。
したがって、中心周波数ｆｎｌ１の妨害波ｂは、可変型バンドリジェクションフィルタ１３により遮断されるが、送信信号は、可変型バンドリジェクションフィルタ１３を通過する。
【００５２】
バンドパスフィルタ５は、送信信号の中心周波数ｆｃ及び側波帯周波数ｆｃ１〜ｆｃ２を含む周波数帯域が通過帯域Ｃ（ｆｂｐｍ１〜ｆｂｐｍ２）に設定されているので、可変型バンドリジェクションフィルタ１３を通過した信号が入力されると、可変型バンドリジェクションフィルタ１３を通過した信号に含まれている送信信号を通過させる。
即ち、送信信号の中心周波数ｆｃ及び側波帯周波数ｆｃ１〜ｆｃ２は、バンドパスフィルタ５の通過帯域Ｃ（ｆｂｐｍ１〜ｆｂｐｍ２）に含まれているので（ｆｂｐｍ１＜ｆｃ１＜ｆｃ＜ｆｃ２＜ｆｂｐｍ２）、送信信号の中心周波数ｆｃの成分と側波帯周波数ｆｃ１〜ｆｃ２の成分は、バンドパスフィルタ５を通過する。
【００５３】
低雑音増幅器６は、バンドパスフィルタ５を通過した信号の電力を増幅する。低雑音増幅器６が増幅する信号の電力は、バンドパスフィルタ５の通過帯域Ｃ内の積分値であるが、妨害波が含まれておらず、送信信号の成分だけであるため、低雑音増幅器６が飽和することはない。
【００５４】
次に、アンテナ１における無線信号の受信時刻がｔ２であるときの動作を説明する。
受信時刻ｔ２では、中心周波数ｆｃの送信信号と、中心周波数ｆｎｈ０１の妨害波ａと、中心周波数ｆｎｌ１の妨害波ｂとを含む無線信号がアンテナ１で受信される。
バンドパスフィルタ２は、送信信号の中心周波数ｆｃより高い周波数が通過帯域Ａ（ｆｂｐａ１〜ｆｂｐａ２）に設定されているので、アンテナ１から送信信号と妨害波ａ，ｂを含む無線信号が出力されると、無線信号に含まれている信号のうち、送信信号の中心周波数ｆｃより高い周波数の信号（通過帯域Ａの信号）だけを通過させる。
【００５５】
したがって、送信信号の中心周波数ｆｃと、その中心周波数ｆｃより低い側の送信信号の側波帯周波数ｆｃ１と、妨害波ｂの中心周波数ｆｎｌ１については、バンドパスフィルタ２の通過帯域Ａ（ｆｂｐａ１〜ｆｂｐａ２）より低いので、送信信号の中心周波数ｆｃの成分、中心周波数ｆｃより低い側の送信信号の側波成分及び妨害波ｂは、バンドパスフィルタ２により遮断される。
一方、中心周波数ｆｃより高い側の送信信号の側波帯周波数ｆｃ２と、妨害波ａの中心周波数ｆｎｈ０１については、バンドパスフィルタ２の通過帯域Ａ（ｆｂｐａ１〜ｆｂｐａ２）に含まれているので（ｆｂｐａ１＜ｆｎｈ０１＜ｆｃ２＜ｆｂｐａ２）、中心周波数ｆｃより高い側の送信信号の側波成分と妨害波ａは、バンドパスフィルタ２を通過する。
【００５６】
周波数検知回路３は、バンドパスフィルタ２を通過した信号（中心周波数ｆｃより高い側の送信信号の側波成分、妨害波ａ）が入力されると、バンドパスフィルタ２を通過した信号の受信スペクトルの中で、予め設定された特定電力Ｐ１より高い電力の受信スペクトルを検知する。
図１０の例では、特定電力Ｐ１より高い電力の受信スペクトルは、妨害波ａの受信スペクトルだけであるため、妨害波ａの受信スペクトルが検知される。
周波数検知回路３は、妨害波ａの受信スペクトルを検知すると、その受信スペクトルの中心周波数ｆｎｈ０１を示す制御電圧ｖ＿ｆｎｈ０１を可変型バンドリジェクションフィルタ４に出力する。
【００５７】
可変型バンドリジェクションフィルタ４は、周波数検知回路３から制御電圧ｖ＿ｆｎｈ０１を受けると、その制御電圧ｖ＿ｆｎｈ０１が示す中心周波数ｆｎｈ０１を含む周波数帯域が遮断帯域Ｂ（ｆｂｒａ５〜ｆｂｒａ６）に設定される。
可変型バンドリジェクションフィルタ４は、アンテナ１から送信信号と妨害波ａ，ｂを含む無線信号が出力されると、無線信号に含まれている中心周波数ｆｎｈ０１の妨害波ａを遮断して、妨害波ａ以外の信号（遮断帯域Ｂ以外の帯域Ｂ’の信号）を通過させる。
したがって、中心周波数ｆｎｈ０１の妨害波ａは、可変型バンドリジェクションフィルタ４により遮断されるが、送信信号と妨害波ｂは、可変型バンドリジェクションフィルタ４を通過する。
【００５８】
バンドパスフィルタ１１は、送信信号の中心周波数ｆｃより低い周波数が通過帯域Ｄ（ｆｂｐｂ１〜ｆｂｐｂ２）に設定されているので、アンテナ１から送信信号と妨害波ａ，ｂを含む無線信号が出力されると、無線信号に含まれている信号のうち、送信信号の中心周波数ｆｃより低い周波数の信号（通過帯域Ｄの信号）だけを通過させる。
したがって、送信信号の中心周波数ｆｃと、その中心周波数ｆｃより高い側の送信信号の側波帯周波数ｆｃ２と、妨害波ａの中心周波数ｆｎｈ０１については、バンドパスフィルタ１１の通過帯域Ｄ（ｆｂｐｂ１〜ｆｂｐｂ２）より高いので、送信信号の中心周波数ｆｃの成分、中心周波数ｆｃより高い側の送信信号の側波成分及び妨害波ａは、バンドパスフィルタ１１により遮断される。
一方、中心周波数ｆｃより低い側の送信信号の側波帯周波数ｆｃ１と、妨害波ｂの中心周波数ｆｎｌ１については、バンドパスフィルタ１１の通過帯域Ｄ（ｆｂｐｂ１〜ｆｂｐｂ２）に含まれているので（ｆｂｐｂ１＜ｆｃ１＜ｆｎｌ１＜ｆｂｐｂ２）、中心周波数ｆｃより低い側の送信信号の側波成分と妨害波ｂは、バンドパスフィルタ１１を通過する。
【００５９】
周波数検知回路１２は、バンドパスフィルタ１１を通過した信号（中心周波数ｆｃより低い側の送信信号の側波成分、妨害波ｂ）が入力されると、バンドパスフィルタ１１を通過した信号の受信スペクトルの中で、予め設定された特定電力Ｐ１より高い電力の受信スペクトルを検知する。
図１０の例では、特定電力Ｐ１より高い電力の受信スペクトルは、妨害波ｂの受信スペクトルだけであるため、妨害波ｂの受信スペクトルが検知される。
周波数検知回路１２は、妨害波ｂの受信スペクトルを検知すると、その受信スペクトルの中心周波数ｆｎｌ１を示す制御電圧ｖ＿ｆｎｌ１を可変型バンドリジェクションフィルタ１３に出力する。
【００６０】
可変型バンドリジェクションフィルタ１３は、周波数検知回路１２から制御電圧ｖ＿ｆｎｌ１を受けると、その制御電圧ｖ＿ｆｎｌ１が示す中心周波数ｆｎｌ１を含む周波数帯域が遮断帯域Ｅ（ｆｂｒｂ３〜ｆｂｒｂ４）に設定される。
可変型バンドリジェクションフィルタ１３は、可変型バンドリジェクションフィルタ４を通過した信号（送信信号、妨害波ｂ）のうち、中心周波数ｆｎｌ１の妨害波ｂを遮断して、妨害波ｂ以外の信号（遮断帯域Ｅ以外の帯域Ｅ’の信号）を通過させる。
したがって、中心周波数ｆｎｌ１の妨害波ｂは、可変型バンドリジェクションフィルタ１３により遮断されるが、送信信号は、可変型バンドリジェクションフィルタ１３を通過する。
【００６１】
バンドパスフィルタ５は、送信信号の中心周波数ｆｃ及び側波帯周波数ｆｃ１〜ｆｃ２を含む周波数帯域が通過帯域Ｃ（ｆｂｐｍ１〜ｆｂｐｍ２）に設定されているので、可変型バンドリジェクションフィルタ１３を通過した信号が入力されると、可変型バンドリジェクションフィルタ１３を通過した信号に含まれている送信信号を通過させる。
即ち、送信信号の中心周波数ｆｃ及び側波帯周波数ｆｃ１〜ｆｃ２は、バンドパスフィルタ５の通過帯域Ｃ（ｆｂｐｍ１〜ｆｂｐｍ２）に含まれているので（ｆｂｐｍ１＜ｆｃ１＜ｆｃ＜ｆｃ２＜ｆｂｐｍ２）、送信信号の中心周波数ｆｃの成分と側波帯周波数ｆｃ１〜ｆｃ２の成分は、バンドパスフィルタ５を通過する。
【００６２】
低雑音増幅器６は、バンドパスフィルタ５を通過した信号の電力を増幅する。低雑音増幅器６が増幅する信号の電力は、バンドパスフィルタ５の通過帯域Ｃ内の積分値であるが、妨害波が含まれておらず、送信信号の成分だけであるため、低雑音増幅器６が飽和することはない。
【００６３】
以上で明らかなように、この実施の形態２によれば、バンドパスフィルタ１１を通過した信号の受信スペクトルの中で、予め設定された特定電力Ｐ１より高い電力の受信スペクトル（妨害波ｂの受信スペクトル）を検知し、その受信スペクトルの中心周波数ｆｎｌを示す制御電圧ｖ＿ｆｎｌを可変型バンドリジェクションフィルタ１３に出力する周波数検知回路１２を設け、周波数検知回路１２から出力された制御電圧ｖ＿ｆｎｌが示す中心周波数ｆｎｌを含む周波数帯域が遮断帯域Ｅに設定される可変型バンドリジェクションフィルタ１３が、無線信号に含まれている妨害波ｂを遮断して、妨害波ｂ以外の信号（遮断帯域Ｅ以外の帯域Ｅ’の信号）を通過させるように構成したので、２つの妨害波ａ，ｂの中心周波数ｆｎｈ，ｆｎｌが時間の経過に伴って変動する場合でも、妨害波ａ，ｂを除去することができるようになり、その結果、電力による低雑音増幅器６の飽和を回避することができる効果を奏する。
【００６４】
この実施の形態２では、中心周波数ｆｎｈ，ｆｎｌが時間の経過に伴って変動する妨害波ａ，ｂを除去する受信回路について示したが、中心周波数ｆｎｈ，ｆｎｌが時間の経過に伴って変動しない妨害波ａ，ｂについても同様に除去することができる。
【００６５】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６６】
１  アンテナ、２  バンドパスフィルタ（帯域通過フィルタ、第１の帯域通過フィルタ）、３  周波数検知回路（第１の周波数検知回路）、４  可変型バンドリジェクションフィルタ（可変型遮断フィルタ、第１の可変型遮断フィルタ）、５  バンドパスフィルタ（第２の帯域通過フィルタ、第３の帯域通過フィルタ）、６  低雑音増幅器、１１  バンドパスフィルタ（第２の帯域通過フィルタ）、１２  周波数検知回路（第２の周波数検知回路）、１３  可変型バンドリジェクションフィルタ（第２の可変型遮断フィルタ）。
【図１】
2015220631.tif 000003
【図２】
2015220631.tif 000004
【図３】
2015220631.tif 000005
【図４】
2015220631.tif 000006
【図５】
2015220631.tif 000007
【図６】
2015220631.tif 000008
【図７】
2015220631.tif 000009
【図８】
2015220631.tif 000010
【図９】
2015220631.tif 000011
【図１０】
2015220631.tif 000012